(57)【特許請求の範囲】
【請求項１】
自動販売機全体の制御を行う主制御装置と、通貨が異なる複数の貨幣識別装置と、前記複数の貨幣識別装置の中から選別された自動販売機設置国の通貨の貨幣識別装置を主制御装置に指示する指示信号の手動入力装置とを備え、主制御装置は指示された貨幣識別装置を作動させることを特徴とする自動販売機。
【請求項２】
自動販売機全体の制御を行う主制御装置と、通貨が異なる複数の貨幣識別装置と、前記複数の貨幣識別装置の中から選別された自動販売機設置国の通貨の貨幣識別装置を主制御装置に指示する指示信号の自動入力装置とを備え、自動入力装置は、人工衛星から受信したＧＰＳ信号に基づいて自動販売機の設置地域を認識し、複数の貨幣識別装置の中から当該地域の通貨の貨幣識別装置を選別し、選別した貨幣識別装置の使用を指示する指示信号を、主制御装置へ出力し、主制御装置は指示された貨幣識別装置を作動させることを特徴とする自動販売機。
【請求項３】
自動販売機全体の制御を行う主制御装置と、通貨が異なる複数の貨幣識別装置と、前記複数の貨幣識別装置の中から選別された自動販売機設置国の通貨の貨幣識別装置を主制御装置に指示する指示信号の自動入力装置とを備え、自動入力装置は、通信回線から入手した電話番号に基づいて、自動販売機の設置地域を認識し、複数の貨幣識別装置の中から当該地域の通貨の貨幣識別装置を選別し、選別した貨幣識別装置の使用を指示する指示信号を、主制御装置へ出力し、主制御装置は指示された貨幣識別装置を作動させることを特徴とする自動販売機。
【請求項４】
前記主制御装置と前記貨幣識別装置とが、通信プロトコル変換装置を介して接続されていることを特徴とする請求項１乃至３の何れか１項に記載の自動販売機。
【発明の詳細な説明】
【０００１】
【発明の属する技術分野】
本発明は、通貨が異なる複数の貨幣識別装置を備える自動販売機に関するものである。
【０００２】
【従来の技術】
従来の自動販売機は、特定の国内で使用されることを前提に製造されており、当該国の通貨の貨幣識別装置のみを備えていた。
【０００３】
【発明が解決しようとする課題】
市場の国際化に伴い、同一の自動販売機が、通貨の異なる複数の国に輸出されて使用される可能性がある。
本発明は上記問題に鑑みてなされたものであり、通貨の異なる複数の国に輸出されて使用されても、当該国で支障なく稼働できる自動販売機を提供することを目的とする。
【０００４】
【課題を解決するための手段】
上記課題を解決するために、本発明においては、自動販売機全体の制御を行う主制御装置と、通貨が異なる複数の貨幣識別装置と、使用する貨幣識別装置を主制御装置に指示する指示信号の手動入力装置とを備えることを特徴とする自動販売機を提供する。
本発明に係る自動販売機においては、当該自動販売機が外国へ輸出されると、輸入国の自動販売機設置業者は、複数の貨幣識別装置の中から当該国の通貨の貨幣識別装置を選別し、手動入力装置を操作して、選別した貨幣識別装置の使用を指示する指示信号を主制御装置へ入力する。主制御装置は、前記指示信号で指示された貨幣識別装置を使用して商品の販売を行う。従って、本発明に係る自動販売機は、通貨の異なる複数の国に輸出されて使用されても、当該国で支障なく稼働できる。
【０００５】
本発明においては、自動販売機全体の制御を行う主制御装置と、通貨が異なる複数の貨幣識別装置と、使用する貨幣識別装置を主制御装置に指示する指示信号の自動入力装置とを備えることを特徴とする自動販売機を提供する。
本発明に係る自動販売機においては、当該自動販売機が外国へ輸出され、設置されると、自動入力装置が、人工衛星から受信したＧＰＳ信号や通信回線から入手した使用されている電話番号等に基づいて、自動販売機の設置地域を認識し、複数の貨幣識別装置の中から、当該地域で流通する通貨の貨幣識別装置を選別し、選別した貨幣識別装置の使用を指示する指示信号を、主制御装置へ出力する。主制御装置は、前記指示信号で指示された貨幣識別装置を使用して商品の販売を行う。従って、本発明に係る自動販売機は、通貨の異なる複数の国に輸出されて使用されても、当該国で支障なく稼働できる。
【０００６】
【発明の実施の形態】
本発明の実施例を説明する。
図１に示すように、輸出目的の自動販売機の全体の制御を行う主制御装置１に、通貨が異なる貨幣識別装置２、３、４が、通信プロトコル変換装置５、６、７を介して接続されている。商品搬出装置、冷却加温装置等の機器８が主制御装置１に接続されている。貨幣識別装置選択信号の手動入力装置９が主制御装置１に接続されている。
主制御装置１、機器８、手動入力装置９は、自動販売機の製造国で使用されている通信プロトコルを有しているので、直接接続されている。貨幣識別装置２、３、４は、それぞれの通貨が流通する国で製造されて自動販売機の製造国へ輸入され、或いはそれぞれの通貨が流通する国の製造業者のライセンスの下に自動販売機の製造国で製造されたものなので、それぞれの通貨が流通する国で使用されている通信プロトコルを有しており、当該通信プロトコルは、自動販売機の製造国で使用されている通信プロトコルとは一般に異なるので、通信プロトコル変換装置５、６、７を介して、主制御装置１に接続されている。
【０００７】
本実施例に係る自動販売機が、外国へ輸出されると、輸入国の自動販売機設置業者は、貨幣識別装置２〜４の中から、当該国の通貨の貨幣識別装置を選別し、手動入力装置９を操作して、選別した貨幣識別装置２〜４の何れかの使用を指示する指示信号を、主制御装置１へ出力する。主制御装置１は、前記指示信号で指示された貨幣識別装置２〜４の何れかと、機器８とを作動させて商品の販売を行う。従って、本発明に係る自動販売機は、通貨の異なる複数の国に輸出されて使用されても、当該国で支障なく稼働できる。
【０００８】
以上本発明の実施例を説明したが、本発明は上記実施例に限定されない。
手動入力装置９に代えて、図示しない自動入力装置を配設しても良い。自動販売機が輸出され、輸入国内で設置されると、当該自動入力装置は、人工衛星から受信したＧＰＳ信号や電話回線等の通信回線から入手した当地で使用されている電話番号等に基づいて、自動販売機の設置地域を認識し、貨幣識別装置２〜４の中から、当該地域の通貨の貨幣識別装置を選別し、選別した貨幣識別装置２〜４の何れかの使用を指示する指示信号を、主制御装置１へ出力する。主制御装置１は、前記指示信号で指示された貨幣識別装置２〜４の何れかと、機器８とを作動させて商品の販売を行う。従って、本発明に係る自動販売機は、通貨の異なる複数の国に輸出されて使用されても、当該国で支障なく稼働できる。
本発明は、日本円が流通する日本国内、米ドルが流通する日本国内の米軍基地、或いは当該国通貨が流通する可能性のある日本国内の外国公館等の何れにも設置可能な自動販売機にも適用可能である。
【０００９】
【発明の効果】
以上説明したごとく、本発明に係る自動販売機においては、当該自動販売機が外国へ輸出されると、輸入国の自動販売機設置業者は、複数の貨幣識別装置の中から当該国の通貨の貨幣識別装置を選別し、手動入力装置を操作して、選別した貨幣識別装置の使用を指示する指示信号を主制御装置へ入力する。主制御装置は、前記指示信号で指示された貨幣識別装置を使用して商品の販売を行う。従って、本発明に係る自動販売機は、通貨の異なる複数の国に輸出されて使用されても、当該国で支障なく稼働できる。
【００１０】
本発明に係る自動販売機においては、当該自動販売機が外国へ輸出されると、自動入力装置が、人工衛星から受信したＧＰＳ信号や通信回線から入手した使用されている電話番号等に基づいて、自動販売機の設置地域を認識し、複数の貨幣識別装置の中から、当該地域で流通する通貨の貨幣識別装置を選別し、選別した貨幣識別装置の使用を指示する指示信号を、主制御装置へ出力する。主制御装置は、前記指示信号で指示された貨幣識別装置を使用して商品の販売を行う。従って、本発明に係る自動販売機は、通貨の異なる複数の国に輸出されて使用されても、当該国で支障なく稼働できる。
【図面の簡単な説明】
【図１】本発明の実施例に係る自動販売機のブロック図である。
【符号の説明】
１  主制御装置
２、３、４  貨幣識別装置
５、６、７  通信プロトコル変換装置
８  商品搬出装置や冷却加温装置等の機器
９  手動入力装置
【図１】
0003874565.tif 000002